(57)【要約】【課題】ＩＰ網においてエンジェルラインサービスを提供すること。【解決手段】電話番号案内システムの発側加入者サーバ３は、発側ＩＰ変換装置２から受信した制御パケットのサービス番号をもとに、網内ＡＳ４に照会要求を送信し、網内ＡＳ４から受信した接続先加入者番号と課金用情報とを付した照会要求を着側加入者サーバ５に送信し、収容する発側ＩＰ変換装置２と照会要求で着側加入者サーバ５から応答された着側ＩＰ変換装置６とを接続する旨の接続要求を発側ＩＰ変換装置２に送信し、接続要求に従った発側ＩＰ変換装置２と着側ＩＰ変換装置６との接続を、発側端末１の発信者番号を通知する接続として確立する。【選択図】図１
2011228973.tif 000002
【特許請求の範囲】
【請求項１】
発側端末からエンジェルセンタへの検索条件に対して、前記エンジェルセンタが前記検索条件に適合する検索結果を前記発側端末に返信する電話番号案内システムによる電話番号案内方法であって、
前記電話番号案内システムは、前記発側端末を収容する発側加入者サーバと、前記発側加入者サーバにＩＰ網を介して接続するとともに前記発側端末に非ＩＰ網を介して接続する発側ＩＰ変換装置と、前記エンジェルセンタに接続されるＩ−ＡＰＣを収容する着側加入者サーバと、前記着側加入者サーバにＩＰ網を介して接続するとともに前記Ｉ−ＡＰＣに非ＩＰ網を介して接続する着側ＩＰ変換装置と、前記発側加入者サーバにＩＰ網を介して接続する網内ＡＳとを含めて構成され、
前記発側ＩＰ変換装置は、前記発側端末からのサービス番号を受信し、そのサービス番号を番号翻訳することにより、ＩＰ網の制御パケットを生成して、前記発側加入者サーバに送信し、
前記発側加入者サーバは、前記発側ＩＰ変換装置から受信した制御パケットの前記サービス番号をもとに、前記網内ＡＳに照会要求を送信し、
前記網内ＡＳは、前記照会要求で受信した前記サービス番号を、電話番号案内サービスを提供するための接続先加入者番号へと変換して、前記サービス番号を送信した前記発側端末に割り当てられている発信者番号を通知するための課金用情報とともに、前記発側加入者サーバに応答し、
前記発側加入者サーバは、前記網内ＡＳから受信した前記接続先加入者番号と課金用情報とを付した照会要求を前記着側加入者サーバに送信し、
前記着側加入者サーバは、前記発側加入者サーバから受信した前記接続先加入者番号を収容する前記着側ＩＰ変換装置を特定して、前記発側加入者サーバに応答し、
前記発側加入者サーバは、収容する前記発側ＩＰ変換装置と応答された前記着側ＩＰ変換装置とを接続する旨の接続要求を前記発側ＩＰ変換装置に送信するとともに、前記着側加入者サーバは、収容する前記着側ＩＰ変換装置と前記接続要求で指定される前記発側ＩＰ変換装置とを接続する旨の接続要求を前記着側ＩＰ変換装置に送信することで、接続要求に従った前記発側ＩＰ変換装置と前記着側ＩＰ変換装置との接続を、発側端末の発信者番号を通知する接続として確立し、
接続を確立した前記着側ＩＰ変換装置は、収容する前記Ｉ−ＡＰＣに対して、そのＩ−ＡＰＣに接続される前記エンジェルセンタと、前記発側端末との接続を行うためのプロトコル変換処理を実行させることで、前記発側端末と前記エンジェルセンタとの接続を、前記発側端末の発信者番号を通知する接続として確立し、前記発側端末と前記エンジェルセンタとの間の確立した接続を介して、前記発側端末から前記エンジェルセンタへの検索条件に対して、前記エンジェルセンタが前記検索条件に適合する検索結果を前記発側端末に返信させることを特徴とする
電話番号案内方法。
【請求項２】
発側端末からエンジェルセンタへの検索条件に対して、前記エンジェルセンタが前記検索条件に適合する検索結果を前記発側端末に返信する電話番号案内システムによる電話番号案内方法であって、
前記電話番号案内システムは、前記発側端末を収容する発側加入者サーバと、前記発側加入者サーバにＩＰ網を介して接続するとともに前記発側端末に非ＩＰ網を介して接続する発側ＩＰ変換装置と、前記エンジェルセンタに接続されるＩＰ接続対応ＡＰＣを収容する着側加入者サーバと、前記着側加入者サーバにＩＰ網を介して接続する前記ＩＰ接続対応ＡＰＣと、前記発側加入者サーバにＩＰ網を介して接続する網内ＡＳとを含めて構成され、
前記発側ＩＰ変換装置は、前記発側端末からのサービス番号を受信し、そのサービス番号を番号翻訳することにより、ＩＰ網の制御パケットを生成して、前記発側加入者サーバに送信し、
前記発側加入者サーバは、前記発側ＩＰ変換装置から受信した制御パケットの前記サービス番号をもとに、前記網内ＡＳに照会要求を送信し、
前記網内ＡＳは、前記照会要求で受信した前記サービス番号を、電話番号案内サービスを提供するための接続先加入者番号へと変換して、前記サービス番号を送信した前記発側端末に割り当てられている発信者番号を通知するための課金用情報とともに、前記発側加入者サーバに応答し、
前記発側加入者サーバは、前記網内ＡＳから受信した前記接続先加入者番号と課金用情報とを付した照会要求を前記着側加入者サーバに送信し、
前記着側加入者サーバは、前記発側加入者サーバから受信した前記接続先加入者番号を収容する前記ＩＰ接続対応ＡＰＣを特定して、前記発側加入者サーバに応答し、
前記発側加入者サーバは、収容する前記発側ＩＰ変換装置と応答された前記ＩＰ接続対応ＡＰＣとを接続する旨の接続要求を前記発側ＩＰ変換装置に送信するとともに、前記着側加入者サーバは、収容する前記ＩＰ接続対応ＡＰＣと前記接続要求で指定される前記発側ＩＰ変換装置とを接続する旨の接続要求を前記ＩＰ接続対応ＡＰＣに送信することで、接続要求に従った前記発側ＩＰ変換装置と前記ＩＰ接続対応ＡＰＣとの接続を、発側端末の発信者番号を通知する接続として確立し、
接続を確立した前記ＩＰ接続対応ＡＰＣは、自装置に接続される前記エンジェルセンタと、前記発側端末との接続を行うためのプロトコル変換処理を実行させることで、前記発側端末と前記エンジェルセンタとの接続を、前記発側端末の発信者番号を通知する接続として確立し、前記発側端末と前記エンジェルセンタとの間の確立した接続を介して、前記発側端末から前記エンジェルセンタへの検索条件に対して、前記エンジェルセンタが前記検索条件に適合する検索結果を前記発側端末に返信させることを特徴とする
電話番号案内方法。
【請求項３】
前記発側加入者サーバは、さらに、課金用情報である前記発側端末の発信者番号をもとに課金対象の前記発側端末を特定し、特定した前記発側端末に対して、前記検索条件および前記検索結果を通信させるときの通信料の課金処理を実行することを特徴とする
請求項１または請求項２に記載の電話番号案内方法。
【請求項４】
発側端末からエンジェルセンタへの検索条件に対して、前記エンジェルセンタが前記検索条件に適合する検索結果を前記発側端末に返信する電話番号案内システムであって、
前記電話番号案内システムは、前記発側端末を収容する発側加入者サーバと、前記発側加入者サーバにＩＰ網を介して接続するとともに前記発側端末に非ＩＰ網を介して接続する発側ＩＰ変換装置と、前記エンジェルセンタに接続されるＩ−ＡＰＣを収容する着側加入者サーバと、前記着側加入者サーバにＩＰ網を介して接続するとともに前記Ｉ−ＡＰＣに非ＩＰ網を介して接続する着側ＩＰ変換装置と、前記発側加入者サーバにＩＰ網を介して接続する網内ＡＳとを含めて構成され、
前記発側ＩＰ変換装置は、前記発側端末からのサービス番号を受信し、そのサービス番号を番号翻訳することにより、ＩＰ網の制御パケットを生成して、前記発側加入者サーバに送信し、
前記発側加入者サーバは、前記発側ＩＰ変換装置から受信した制御パケットの前記サービス番号をもとに、前記網内ＡＳに照会要求を送信し、
前記網内ＡＳは、前記照会要求で受信した前記サービス番号を、電話番号案内サービスを提供するための接続先加入者番号へと変換して、前記サービス番号を送信した前記発側端末に割り当てられている発信者番号を通知するための課金用情報とともに、前記発側加入者サーバに応答し、
前記発側加入者サーバは、前記網内ＡＳから受信した前記接続先加入者番号と課金用情報とを付した照会要求を前記着側加入者サーバに送信し、
前記着側加入者サーバは、前記発側加入者サーバから受信した前記接続先加入者番号を収容する前記着側ＩＰ変換装置を特定して、前記発側加入者サーバに応答し、
前記発側加入者サーバは、収容する前記発側ＩＰ変換装置と応答された前記着側ＩＰ変換装置とを接続する旨の接続要求を前記発側ＩＰ変換装置に送信するとともに、前記着側加入者サーバは、収容する前記着側ＩＰ変換装置と前記接続要求で指定される前記発側ＩＰ変換装置とを接続する旨の接続要求を前記着側ＩＰ変換装置に送信することで、接続要求に従った前記発側ＩＰ変換装置と前記着側ＩＰ変換装置との接続を、発側端末の発信者番号を通知する接続として確立し、
接続を確立した前記着側ＩＰ変換装置は、収容する前記Ｉ−ＡＰＣに対して、そのＩ−ＡＰＣに接続される前記エンジェルセンタと、前記発側端末との接続を行うためのプロトコル変換処理を実行させることで、前記発側端末と前記エンジェルセンタとの接続を、前記発側端末の発信者番号を通知する接続として確立し、前記発側端末と前記エンジェルセンタとの間の確立した接続を介して、前記発側端末から前記エンジェルセンタへの検索条件に対して、前記エンジェルセンタが前記検索条件に適合する検索結果を前記発側端末に返信させることを特徴とする
電話番号案内システム。
【請求項５】
発側端末からエンジェルセンタへの検索条件に対して、前記エンジェルセンタが前記検索条件に適合する検索結果を前記発側端末に返信する電話番号案内システムであって、
前記電話番号案内システムは、前記発側端末を収容する発側加入者サーバと、前記発側加入者サーバにＩＰ網を介して接続するとともに前記発側端末に非ＩＰ網を介して接続する発側ＩＰ変換装置と、前記エンジェルセンタに接続されるＩＰ接続対応ＡＰＣを収容する着側加入者サーバと、前記着側加入者サーバにＩＰ網を介して接続する前記ＩＰ接続対応ＡＰＣと、前記発側加入者サーバにＩＰ網を介して接続する網内ＡＳとを含めて構成され、
前記発側ＩＰ変換装置は、前記発側端末からのサービス番号を受信し、そのサービス番号を番号翻訳することにより、ＩＰ網の制御パケットを生成して、前記発側加入者サーバに送信し、
前記発側加入者サーバは、前記発側ＩＰ変換装置から受信した制御パケットの前記サービス番号をもとに、前記網内ＡＳに照会要求を送信し、
前記網内ＡＳは、前記照会要求で受信した前記サービス番号を、電話番号案内サービスを提供するための接続先加入者番号へと変換して、前記サービス番号を送信した前記発側端末に割り当てられている発信者番号を通知するための課金用情報とともに、前記発側加入者サーバに応答し、
前記発側加入者サーバは、前記網内ＡＳから受信した前記接続先加入者番号と課金用情報とを付した照会要求を前記着側加入者サーバに送信し、
前記着側加入者サーバは、前記発側加入者サーバから受信した前記接続先加入者番号を収容する前記ＩＰ接続対応ＡＰＣを特定して、前記発側加入者サーバに応答し、
前記発側加入者サーバは、収容する前記発側ＩＰ変換装置と応答された前記ＩＰ接続対応ＡＰＣとを接続する旨の接続要求を前記発側ＩＰ変換装置に送信するとともに、前記着側加入者サーバは、収容する前記ＩＰ接続対応ＡＰＣと前記接続要求で指定される前記発側ＩＰ変換装置とを接続する旨の接続要求を前記ＩＰ接続対応ＡＰＣに送信することで、接続要求に従った前記発側ＩＰ変換装置と前記ＩＰ接続対応ＡＰＣとの接続を、発側端末の発信者番号を通知する接続として確立し、
接続を確立した前記ＩＰ接続対応ＡＰＣは、自装置に接続される前記エンジェルセンタと、前記発側端末との接続を行うためのプロトコル変換処理を実行させることで、前記発側端末と前記エンジェルセンタとの接続を、前記発側端末の発信者番号を通知する接続として確立し、前記発側端末と前記エンジェルセンタとの間の確立した接続を介して、前記発側端末から前記エンジェルセンタへの検索条件に対して、前記エンジェルセンタが前記検索条件に適合する検索結果を前記発側端末に返信させることを特徴とする
電話番号案内システム。
【請求項６】
前記発側加入者サーバは、さらに、課金用情報である前記発側端末の発信者番号をもとに課金対象の前記発側端末を特定し、特定した前記発側端末に対して、前記検索条件および前記検索結果を通信させるときの通信料の課金処理を実行することを特徴とする
請求項４または請求項５に記載の電話番号案内システム。
【発明の詳細な説明】
【技術分野】
【０００１】
本発明は、電話番号案内方法、および、電話番号案内システムに関する。
【背景技術】
【０００２】
電話サービスの一つであるエンジェルライン（ANGEL LINE）サービス（非特許文献１）は、通信機能をもつパソコンおよび発側端末（ANGEL NOTE）などから電話回線を使って番号情報センタへ直接アクセスし、全国の電話番号を調べるサービスである。
このエンジェルラインサービスは、レガシー網（ＰＳＴＮ：Public Switched Telephone Networks）を対象としたサービスで、共通線信号網、ＤＤＸ−Ｐ（Digital Data eXchange Packet）網（パケット網）、およびＤＢ（Data Base）を用いて実現されている。
【０００３】
エンジェルラインサービスは、ＰＣなどの発側端末からエンジェルセンタ（番号情報センタ）内の番号案内ＤＢへ接続して番号検索を行うものである。番号検索を行うための発呼に対して、番号通知不可理由（発番号非通知サービスを利用しているユーザなど）にかかわらず、発信者番号を付与してからエンジェルセンタへと送信することで、エンジェルセンタは発信者番号から課金相手を特定することができる。
【０００４】
つまり、レガシー網のエンジェルラインサービスは、発側端末を電話回線につなぎ、通常の電話の通話と同様に特別の番号で発呼して番号案内センタへ接続するだけで済むため、発側端末を交換したり、特別な契約を事前登録する必要はない。
そして、電話交換機とＮＳＰ（Network Service Control Point）とで連携して特別の番号から番号案内センタの電話番号に変換して、番号案内センタに着信させるとともに、課金のために発信者番号非通知であっても、電話番号を番号案内センタへ通知し、課金処理を行う。
【先行技術文献】
【非特許文献】
【０００５】
【非特許文献１】ＮＴＴ東日本、“ANGEL LINE”、［online］、［平成２２年４月６日検索］、インターネット（ＵＲＬ：http://www.ntt-east.co.jp/angel/）
【発明の概要】
【発明が解決しようとする課題】
【０００６】
前記したレガシー網のエンジェルラインサービスを、ＩＰ（Internet Protocol）網上でも実現することは、困難である。例えば、交換機の呼処理に相当するセッション制御を行うセッション制御サーバと、ＮＳＰに相当するアプリケーションサーバとの間のＩＰ網のプロトコルには、番号変換を行うための手順や、番号案内センタへ発信者番号を通知する手順が存在しない。
【０００７】
さらに、電話交換機にはＩＰパケットを処理する機能が具備されていない。このため、電話交換機をそのままＩＰ網内に設置することはできず、電話番号検索を実行できない。
【０００８】
そこで、本発明は、前記した問題を解決し、ＩＰ網においてエンジェルラインサービスを提供することを、主な目的とする。
【課題を解決するための手段】
【０００９】
前記課題を解決するために、本発明は、発側端末からエンジェルセンタへの検索条件に対して、前記エンジェルセンタが前記検索条件に適合する検索結果を前記発側端末に返信する電話番号案内システムであって、前記電話番号案内システムが、前記発側端末を収容する発側加入者サーバと、前記発側加入者サーバにＩＰ網を介して接続するとともに前記発側端末に非ＩＰ網を介して接続する発側ＩＰ変換装置と、前記エンジェルセンタに接続されるＩ−ＡＰＣを収容する着側加入者サーバと、前記着側加入者サーバにＩＰ網を介して接続するとともに前記Ｉ−ＡＰＣに非ＩＰ網を介して接続する着側ＩＰ変換装置と、前記発側加入者サーバにＩＰ網を介して接続する網内ＡＳとを含めて構成され、前記発側ＩＰ変換装置が、前記発側端末からのサービス番号を受信し、そのサービス番号を番号翻訳することにより、ＩＰ網の制御パケットを生成して、前記発側加入者サーバに送信し、前記発側加入者サーバが、前記発側ＩＰ変換装置から受信した制御パケットの前記サービス番号をもとに、前記網内ＡＳに照会要求を送信し、前記網内ＡＳが、前記照会要求で受信した前記サービス番号を、電話番号案内サービスを提供するための接続先加入者番号へと変換して、前記サービス番号を送信した前記発側端末に割り当てられている発信者番号を通知するための課金用情報とともに、前記発側加入者サーバに応答し、前記発側加入者サーバが、前記網内ＡＳから受信した前記接続先加入者番号と課金用情報とを付した照会要求を前記着側加入者サーバに送信し、前記着側加入者サーバが、前記発側加入者サーバから受信した前記接続先加入者番号を収容する前記着側ＩＰ変換装置を特定して、前記発側加入者サーバに応答し、前記発側加入者サーバが、収容する前記発側ＩＰ変換装置と応答された前記着側ＩＰ変換装置とを接続する旨の接続要求を前記発側ＩＰ変換装置に送信するとともに、前記着側加入者サーバが、収容する前記着側ＩＰ変換装置と前記接続要求で指定される前記発側ＩＰ変換装置とを接続する旨の接続要求を前記着側ＩＰ変換装置に送信することで、接続要求に従った前記発側ＩＰ変換装置と前記着側ＩＰ変換装置との接続を、発側端末の発信者番号を通知する接続として確立し、接続を確立した前記着側ＩＰ変換装置が、収容する前記Ｉ−ＡＰＣに対して、そのＩ−ＡＰＣに接続される前記エンジェルセンタと、前記発側端末との接続を行うためのプロトコル変換処理を実行させることで、前記発側端末と前記エンジェルセンタとの接続を、前記発側端末の発信者番号を通知する接続として確立し、前記発側端末と前記エンジェルセンタとの間の確立した接続を介して、前記発側端末から前記エンジェルセンタへの検索条件に対して、前記エンジェルセンタが前記検索条件に適合する検索結果を前記発側端末に返信させることを特徴とする。さらに、本発明は、前記電話番号案内システムが前記各処理を実行することを特徴とする電話番号案内方法である。
【００１０】
これにより、発側ＩＰ変換装置および着側ＩＰ変換装置がそれぞれＩＰ網と非ＩＰ網との連携を行うことで、ＩＰ網においても、非ＩＰ網で提供していたエンジェルラインサービスを提供することができる。さらに、エンジェルセンタに接続されるＩ−ＡＰＣは、非ＩＰ網で用いられていたものをそのまま流用できるので、機器の導入コストを節約することができる。
【００１１】
本発明は、発側端末からエンジェルセンタへの検索条件に対して、前記エンジェルセンタが前記検索条件に適合する検索結果を前記発側端末に返信する電話番号案内システムであって、前記電話番号案内システムが、前記発側端末を収容する発側加入者サーバと、前記発側加入者サーバにＩＰ網を介して接続するとともに前記発側端末に非ＩＰ網を介して接続する発側ＩＰ変換装置と、前記エンジェルセンタに接続されるＩＰ接続対応ＡＰＣを収容する着側加入者サーバと、前記着側加入者サーバにＩＰ網を介して接続する前記ＩＰ接続対応ＡＰＣと、前記発側加入者サーバにＩＰ網を介して接続する網内ＡＳとを含めて構成され、前記発側ＩＰ変換装置が、前記発側端末からのサービス番号を受信し、そのサービス番号を番号翻訳することにより、ＩＰ網の制御パケットを生成して、前記発側加入者サーバに送信し、前記発側加入者サーバが、前記発側ＩＰ変換装置から受信した制御パケットの前記サービス番号をもとに、前記網内ＡＳに照会要求を送信し、前記網内ＡＳが、照会要求で受信した前記サービス番号を、電話番号案内サービスを提供するための接続先加入者番号へと変換して、前記サービス番号を送信した前記発側端末に割り当てられている発信者番号を通知するための課金用情報とともに、前記発側加入者サーバに応答し、前記発側加入者サーバが、前記網内ＡＳから受信した前記接続先加入者番号と課金用情報とを付した照会要求を前記着側加入者サーバに送信し、前記着側加入者サーバが、前記発側加入者サーバから受信した前記接続先加入者番号を収容する前記ＩＰ接続対応ＡＰＣを特定して、前記発側加入者サーバに応答し、前記発側加入者サーバが、収容する前記発側ＩＰ変換装置と応答された前記ＩＰ接続対応ＡＰＣとを接続する旨の接続要求を前記発側ＩＰ変換装置に送信するとともに、前記着側加入者サーバが、収容する前記ＩＰ接続対応ＡＰＣと前記接続要求で指定される前記発側ＩＰ変換装置とを接続する旨の接続要求を前記ＩＰ接続対応ＡＰＣに送信することで、接続要求に従った前記発側ＩＰ変換装置と前記ＩＰ接続対応ＡＰＣとの接続を、前記発側端末の発信者番号を通知する接続として確立し、接続を確立した前記ＩＰ接続対応ＡＰＣが、自装置に接続される前記エンジェルセンタと、前記発側端末との接続を行うためのプロトコル変換処理を実行させることで、前記発側端末と前記エンジェルセンタとの接続を、前記発側端末の発信者番号を通知する接続として確立し、前記発側端末と前記エンジェルセンタとの間の確立した接続を介して、前記発側端末から前記エンジェルセンタへの検索条件に対して、前記エンジェルセンタが前記検索条件に適合する検索結果を前記発側端末に返信させることを特徴とする。さらに、本発明は、前記電話番号案内システムが前記各処理を実行することを特徴とする電話番号案内方法である。
【００１２】
これにより、発側ＩＰ変換装置およびＩＰ接続対応ＡＰＣがそれぞれＩＰ網と非ＩＰ網との連携を行うことで、ＩＰ網においても、非ＩＰ網で提供していたエンジェルラインサービスを提供することができる。さらに、エンジェルセンタに接続されるＩＰ接続対応ＡＰＣは、着側ＩＰ変換装置の機能も備えることにより、電話番号案内システム全体での装置数を削減できるので、機器の運用コストを節約することができる。
【００１３】
本発明は、前記発側加入者サーバが、さらに、課金用情報である前記発側端末の発信者番号をもとに課金対象の前記発側端末を特定し、特定した前記発側端末に対して、前記検索条件および前記検索結果を通信させるときの通信料の課金処理を実行することを特徴とする。さらに、本発明は、前記電話番号案内システムが前記各処理を実行することを特徴とする電話番号案内方法である。
【００１４】
これにより、発側端末が発信者番号を非通知に設定したとしても、発側端末の発信者番号を強制的に通知することにより、発側加入者サーバは、通信料の課金処理に必要な課金対象の特定処理を、確実に実行することができる。
【発明の効果】
【００１５】
本発明によれば、ＩＰ網においてエンジェルラインサービスを提供することができる。
【図面の簡単な説明】
【００１６】
【図１】本発明の一実施形態に関する第１実施形態の電話番号案内システムを示す構成図である。
【図２】本発明の一実施形態に関する図１の電話番号案内システムの動作を示すフロー説明図である。
【図３】本発明の一実施形態に関する図１の電話番号案内システムの信号シーケンスを示すフローチャートである。
【図４】本発明の一実施形態に関する第２実施形態の電話番号案内システムを示す構成図である。
【図５】本発明の一実施形態に関する図４の電話番号案内システムの動作を示すフロー説明図である。
【図６】本発明の一実施形態に関する図４の電話番号案内システムの信号シーケンスを示すフローチャートである。
【図７】比較例の電話番号案内システムを示す構成図である。
【図８】図７の電話番号案内システムの動作を示すフロー説明図である。
【発明を実施するための形態】
【００１７】
以下、本発明の第１実施形態および第２実施形態を、図面を参照して詳細に説明する。第１実施形態および第２実施形態では、ＩＰとアプリケーションサーバを用いることで、レガシー網（非ＩＰ網）で実現していたエンジェルラインサービスをＩＰ網で実現する点では、共通する。
第１実施形態では、非ＩＰ網で使用していたＡＰＣ（Angel Protocol Convertert）を流用し、そのＡＰＣとは別の装置としてのＩＰ変換装置を導入する形態である。これにより、ＡＰＣの流用ができるため、ＡＰＣの導入コストを抑制することができる。
第２実施形態では、第１実施形態の非ＩＰ網で使用していたＡＰＣを用いる代わりに、ＩＰ接続に対応したＡＰＣを活用する形態である。これにより、システムの装置台数の削減により、運用コストや通信遅延を低減することができる。
【００１８】
図１は、第１実施形態の電話番号案内システムを示す構成図である。電話番号案内システムは、発側端末１と、発側ＩＰ変換装置２と、発側加入者サーバ３と、網内ＡＳ（Application Server）４と、着側加入者サーバ５と、着側ＩＰ変換装置６と、Ｉ−ＡＰＣ（ＩＳＤＮ−ＡＰＣ）７と、エンジェルセンタ８とが、ネットワークで接続されて構成される。これらの各装置は、ＣＰＵとメモリとハードディスク（記憶手段）とネットワークインタフェースを有するコンピュータとして構成され、このコンピュータは、ＣＰＵは、メモリ上に読み込んだプログラムを実行することにより、各処理部を動作させる。
【００１９】
第１実施形態では、以下に示すように、ＩＰ網と非ＩＰ網との混合構成である。
発側加入者サーバ３と、網内ＡＳ４とは、ＩＰ網で接続される。
発側加入者サーバ３と、発側ＩＰ変換装置２とは、ＩＰ網で接続される。
発側ＩＰ変換装置２と、発側端末１とは、メタル回線を介した非ＩＰ網で接続される。
発側加入者サーバ３と、着側加入者サーバ５とは、中継サーバ９（図３参照）などを介したＩＰ網で接続される。
着側加入者サーバ５と、着側ＩＰ変換装置６とは、ＩＰ網で接続される。
着側ＩＰ変換装置６と、Ｉ−ＡＰＣ７とは、ＩＳＤＮ（Integrated Services Digital Network）−ＰＲＩ（Primary Rate Interface）で接続される。
Ｉ−ＡＰＣ７と、エンジェルセンタ８とは、Ｘ．２５パケット網などの非ＩＰ網、または、ＩＰ網で接続される。
【００２０】
発側端末１は、発信部１１と、検索条件送信部１２と、検索結果受信部１３と、を有する。
発側ＩＰ変換装置２は、発側加入者サーバ接続部２１と、発側接続先番号接続部２２と、番号翻訳部２３と、を有する。
発側加入者サーバ３は、接続先番号照会部３１と、課金用情報付加部３２と、発側接続指示部３３と、通信料課金部３４と、発側センタ照会部３５と、を有する。
網内ＡＳ４は、接続先番号応答部４１を有する。網内ＡＳ４はエンジェルラインサービスのような電話の付加サービスを提供するためのサーバであり、番号ＤＢや課金用情報ＤＢ（図示省略）を具備している。
着側加入者サーバ５は、着側センタ応答部５１と、着側接続指示部５２と、を有する。
着側ＩＰ変換装置６は、着側接続先番号接続部６１と、ＡＰＣ接続部６２と、を有する。
Ｉ−ＡＰＣ７は、プロトコル変換部７１を有する。
エンジェルセンタ８は、情報料課金部８１と、検索条件受信部８２と、検索結果送信部８３と、を有する。
これらの各処理部の詳細は、図２の説明で明らかにする。
【００２１】
図２は、図１の電話番号案内システムの動作を示すフロー説明図である。
【００２２】
発信部１１は、ＰＣなどの発側端末１のユーザから専用ソフトなどを介して入力されるサービス番号（例：0190-104104）を、自装置の発側端末１を収容している発側ＩＰ変換装置２に発信する（Ｓ１１：発信処理）。
番号翻訳部２３は、発信部１１から発信された電話番号を翻訳する（Ｓ１２：番号翻訳処理）。電話番号の翻訳処理とは、電話番号を上位の番号から順に解釈していき、その電話番号に対する電話サービスと、その電話サービスに使用する電話番号などの各種パラメータを特定する構文解析処理である。例えば、番号翻訳部２３は、電話番号の上位３桁「110」が入力されると、その後に続く電話番号の入力待ちをせず、直ちに、最寄の警察の電話番号に翻訳（番号変換）して、最寄の警察の端末へと接続する。
【００２３】
サービス番号（例：0190-104104）に対して、まず、番号翻訳部２３は、電話番号の上位４桁「0190」をダイヤルトリガとして読み込むことにより、そのダイヤルトリガから、その上位４桁の後に続く電話番号が６桁であることを認識する。そして、番号翻訳部２３は、電話番号の下位６桁「104104」をもとに、電話番号がエンジェルラインサービスを示すものであると特定し、そのエンジェルラインサービスを実現するためのＳＩＰ（Session Initiation Protocol）のＩＮＶＩＴＥ送信を作成することを決定する。
【００２４】
なお、本実施形態では、ＳＩＰを制御プロトコルとして用いて説明しているが、あくまでＳＩＰは制御プロトコルの例示であり、ＳＩＰに関わらずその信号において伝達する必要がある情報を含めることのできるＩＰ上の信号すべてを適用可能である（ＳＩＰにおける他の信号や、ＳＩＰ以外のプロトコルでも適応可能である）。
【００２５】
発側加入者サーバ接続部２１は、発信部１１から受信したサービス番号を、番号翻訳部２３が決定したＳＩＰのＩＮＶＩＴＥメッセージのＩＰパケットへと変換し、発側端末１が収容されている発側加入者サーバ３へ送信（接続）する（Ｓ１３：発側加入者サーバ接続処理）。
【００２６】
接続先番号照会部３１は、ダイヤルトリガ「0190」で網内ＡＳ４へルーチングし、網内ＡＳ４に対して接続先加入者番号と課金用情報との照会を行う（Ｓ１４ａ：接続先番号照会処理）。
接続先番号応答部４１は、接続先番号照会部３１からの照会を受け、接続先加入者番号と課金用情報とを自装置のＤＢから検索して、その検索結果を接続先番号照会部３１に返信する（Ｓ１４ｂ：接続先番号応答処理）。
【００２７】
接続先加入者番号とは、発信部１１からの発呼の接続先となるＩ−ＡＰＣ７の加入者番号である。接続先番号応答部４１は、網内ＡＳ４内のＤＢ（番号テーブル）を参照して、照会で入力されたサービス番号「0190-104104」から、対応する接続先加入者番号（Ｉ−ＡＰＣ７の電話番号）を特定する。
【００２８】
課金用情報とは、発信部１１の発側端末１がエンジェルラインサービスを利用するときの料金を計算するための情報である。課金用情報は、例えば、発側端末１の発信者番号と、その発信者番号の強制通知理由とを含めて構成される。発信者番号の強制通知理由とは、発側端末１の発信者番号の通知・非通知の設定内容を参照せずに、強制的に発信者番号を着側に通知する理由であり、「エンジェルラインサービスの課金処理の金額集計のため」などである。
【００２９】
課金用情報付加部３２は、接続先番号照会部３１が受信した接続先加入者番号をもとにルーチングを行い、その接続先加入者番号のＩ−ＡＰＣ７が収容されている着側加入者サーバ５を特定する。そして、課金用情報付加部３２は、接続先番号照会部３１が受信した課金用情報を、ルーチングプロトコルのメッセージ上にマッピングする（発ＩＤフィールドに書き込む）（Ｓ１５：課金用情報付加処理）。
なお、マッピング処理について、例えば、ルーチングプロトコルがＳＩＰであるときには、そのＳＩＰのＩＮＶＩＴＥメッセージ内のＰ−Ａ−Ｉ（Private-Asserted-Identify）ヘッダ領域に、課金用情報を書き込むようにすればよい。
【００３０】
発側センタ照会部３５は、課金用情報付加部３２が作成したメッセージを、中継サーバを経由して特定した着側加入者サーバ５（着側センタ応答部５１）へと送信する。なお、発側加入者サーバ３は、課金用情報を維持するため、絶対発ＩＤ通知契約を持ち、契約時Ｐ−Ａ−Ｉヘッダを削除しないようにして送信する。この送信するメッセージは、発側センタ照会部３５が着側センタ応答部５１に対して、接続先加入者番号のＩ−ＡＰＣ７が接続されている着側ＩＰ変換装置６を照会することを要求するメッセージである（Ｓ１６ａ：発側センタ照会処理）。
そして、着側センタ応答部５１は、照会要求に含まれる接続先加入者番号から特定した着側ＩＰ変換装置６を、発側センタ照会部３５へ返信する（Ｓ１６ｂ：着側センタ応答処理）。
【００３１】
発側接続指示部３３は、発側センタ照会部３５が受信した照会結果である着側ＩＰ変換装置６を取得し、自装置が収容する発側ＩＰ変換装置２の発側接続先番号接続部２２に対して、照会結果の着側ＩＰ変換装置６（着側接続先番号接続部６１）と接続する旨の接続指示を送信する（Ｓ１７ａ：発側接続指示処理）。
着側接続指示部５２は、着側センタ応答部５１が送信した照会結果である着側ＩＰ変換装置６の着側接続先番号接続部６１に対して、照会結果の送信先の発側加入者サーバ３が収容する発側ＩＰ変換装置２の発側接続先番号接続部２２と接続する旨の接続指示を送信する（Ｓ１７ｂ：着側接続指示処理）。
発側接続先番号接続部２２および着側接続先番号接続部６１は、それぞれ受信した接続指示に従い、相手の接続部との接続を行う（Ｓ１８ａ：発側接続先番号接続処理、Ｓ１８ｂ：着側接続先番号接続処理）。これにより、発側ＩＰ変換装置２と着側ＩＰ変換装置６との接続が実現する。
【００３２】
なお、ＩＰ変換装置（発側ＩＰ変換装置２から着側ＩＰ変換装置６を経由する）は、課金用情報の発ＩＤ（発信者番号）をＩ−ＡＰＣ７へ通知する。ここで、着側ＩＰ変換装置６は、ＩＰ網を介してＳＩＰメッセージのＰ−Ａ−Ｉヘッダから受信した発ＩＤを、非ＩＰ網（ＩＳＤＮなど）を介してＩ−ＡＰＣ７へ通知するメッセージに含めるようにする。これにより、通信料課金部３４は、通信料分の呼情報を生成することができる。
【００３３】
ＡＰＣ接続部６２は、着側接続先番号接続部６１が接続で使用する接続先加入者番号を番号通知にして、Ｉ−ＡＰＣ７のプロトコル変換部７１へ接続する（Ｓ１９：ＡＰＣ接続処理）。
プロトコル変換部７１は、ＡＰＣ接続部６２からの接続を受け、プロトコル変換機能により、エンジェルセンタ８と発側端末１とを接続する（Ｓ２０：プロトコル変換処理）。
【００３４】
検索条件送信部１２は、発側端末１のユーザから入力された検索条件を、接続先の検索条件受信部８２へと送信する（Ｓ２１：検索条件送信処理）。検索結果送信部８３は、検索条件受信部８２が受信した（Ｓ２２：検索条件受信処理）検索条件を検索キーとして検索した検索結果を、検索結果受信部１３へと返信する（Ｓ２３：検索結果送信処理）。発側端末１は、検索結果受信部１３が受信した（Ｓ２４：検索結果受信処理）検索結果を、ディスプレイに表示する。
【００３５】
通信料課金部３４は、エンジェルセンタ８と発側端末１との通信に関する通信料を、発側端末１のユーザに課金するため、その通信料分の呼情報を生成する（Ｓ２５ａ：通信料課金処理）。
情報料課金部８１は、検索結果送信部８３が検索結果として発側端末１に提供した情報料分を、発側端末１のユーザに課金するため、その情報料分の呼情報を生成する（Ｓ２５ｂ：情報料課金処理）。情報料の課金は、１つの検索条件に対し、１回分の情報料となる。
これらの課金処理は、課金用情報である発側端末１の発信者番号の強制通知によって、課金対象である発側端末１のユーザを特定することにより実現される。
【００３６】
図３は、図１の電話番号案内システムの信号シーケンスを示すフローチャートである。
【００３７】
Ｓ１１の発信処理は、Ｓ１０１〜Ｓ１０３によって実現される。
Ｓ１０１において、発側端末１は、OffHookを、発側ＩＰ変換装置２に送信する。
Ｓ１０２において、発側ＩＰ変換装置２は、番号入力を促すＤＴ（Dial Tone）を、発側端末１に送信する。
Ｓ１０３において、発側端末１は、サービス番号（例：0190-104104）のダイヤルを、発側ＩＰ変換装置２に送信する。
【００３８】
Ｓ１３の発側加入者サーバ接続処理として、Ｓ１０４において、発側ＩＰ変換装置２は、サービス番号を指定したＳＩＰのＩＮＶＩＴＥを、発側加入者サーバ３に送信する。
Ｓ１４ａの接続先番号照会処理として、Ｓ１０５において、発側加入者サーバ３は、サービス番号を指定したＳＩＰのＩＮＶＩＴＥを、網内ＡＳ４に送信する。
Ｓ１１０において、網内ＡＳ４は、ＲＦＣ３２６１に規定されているＢ２ＢＵＡ（Back-to-Back User Agent）として動作することで、指定されたサービス番号を接続先番号（OA-J）へと変換する。
Ｓ１４ｂの接続先番号応答処理として、Ｓ１１１において、網内ＡＳ４は、接続先番号（OA-J）を指定したＳＩＰのＩＮＶＩＴＥを、発側加入者サーバ３に送信する。
【００３９】
Ｓ１６ａの発側センタ照会処理として、Ｓ１１２において、発側加入者サーバ３は、接続先番号（OA-J）を指定したＳＩＰのＩＮＶＩＴＥを、中継サーバ９に送信し、Ｓ１１３において、中継サーバ９は、接続先番号（OA-J）を指定したＳＩＰのＩＮＶＩＴＥを、着側加入者サーバ５に送信する。
【００４０】
Ｓ１７ｂの着側接続指示処理として、Ｓ１１４において、着側加入者サーバ５は、接続先番号（OA-J）を指定したＳＩＰのＩＮＶＩＴＥを、着側ＩＰ変換装置６に送信する。
Ｓ１１５において、着側ＩＰ変換装置６は、ＳＥＴＵＰを、Ｉ−ＡＰＣ７に送信する。
【００４１】
Ｓ１２１において、Ｉ−ＡＰＣ７は、ＡＬＥＲＴを、着側ＩＰ変換装置６に送信する。
Ｓ１２２において、着側ＩＰ変換装置６は、状態コード「180 Ringing」を、着側加入者サーバ５に送信する。
Ｓ１２３において、着側加入者サーバ５は、状態コード「180 Ringing」を、中継サーバ９に送信する。
Ｓ１２４において、中継サーバ９は、状態コード「180 Ringing」を、発側加入者サーバ３に送信する。
Ｓ１２５において、発側加入者サーバ３は、状態コード「180 Ringing」を、網内ＡＳ４に送信する。
Ｓ１２６において、網内ＡＳ４は、状態コード「180 Ringing」を、発側加入者サーバ３に送信する。
Ｓ１２７において、発側加入者サーバ３は、状態コード「180 Ringing」を、発側ＩＰ変換装置２に送信する。
Ｓ１２８において、発側ＩＰ変換装置２は、呼び出し音を示すＲＢＴ（Ring Back Tone）を、発側端末１に送信する。
【００４２】
Ｓ１３１において、Ｉ−ＡＰＣ７は、CONN(Connection)を、着側ＩＰ変換装置６に送信する。
Ｓ１３２において、着側ＩＰ変換装置６は、状態コード「200 INVITEに対するOK」を、着側加入者サーバ５に送信する。
Ｓ１６ｂの着側センタ応答処理として、Ｓ１３３において、着側加入者サーバ５は、状態コード「200 INVITEに対するOK」を、中継サーバ９に送信し、Ｓ１３４において、中継サーバ９は、状態コード「200 INVITEに対するOK」を、発側加入者サーバ３に送信する。
Ｓ１３５において、発側加入者サーバ３は、状態コード「200 INVITEに対するOK」を、網内ＡＳ４に送信する。
Ｓ１３６において、網内ＡＳ４は、状態コード「200 INVITEに対するOK」を、発側加入者サーバ３に送信する。
【００４３】
Ｓ１７ａの発側接続指示処理として、Ｓ１３７において、発側加入者サーバ３は、状態コード「200 INVITEに対するOK」を、発側ＩＰ変換装置２に送信する。
【００４４】
Ｓ１８ａおよびＳ１８ｂの接続処理の結果、Ｓ１４０において、発側ＩＰ変換装置２と着側ＩＰ変換装置６とが、通信中（ＲＴＰ区間）となる。
Ｓ１９のＡＰＣ接続処理として、発側端末１と発側ＩＰ変換装置２とが通信中になり（Ｓ１４１）、着側ＩＰ変換装置６とエンジェルセンタ８とが通信中になる（Ｓ１４２）。
【００４５】
次に、第２実施形態について、第１実施形態との相違点に着目して、説明する。
【００４６】
図４は、第２実施形態の電話番号案内システムを示す構成図である。図４に示す第２実施形態では、図１に示す第１実施形態のＩ−ＡＰＣ７の代わりに、ＩＰ接続対応ＡＰＣ７ａを用いる形態である。
これにより、システムの装置台数の削減により、運用コストや通信遅延を低減することができる。
【００４７】
なお、ＩＰ接続対応ＡＰＣ７ａは、着側接続先番号接続部６１およびプロトコル変換部７１を有する。図４のＩＰ接続対応ＡＰＣ７ａは、この２つの処理部を同じ物理筐体に収容する一例を示しているが、この２つの処理部を別々の物理筐体へと分散して配置してもよい。
また、図１のＡＰＣ接続部６２は、着側ＩＰ変換装置６からＩ−ＡＰＣ７への接続を行う役割を担っていたが、図４では、Ｉ−ＡＰＣ７を用いないため、ＡＰＣ接続部６２を省略することができる。
【００４８】
図５は、図４の電話番号案内システムの動作を示すフロー説明図である。図２に示す第１実施形態では、ＡＰＣ接続部６２が実行するＳ１９（ＡＰＣ接続処理）が存在していたが、図４の説明で述べたようにＡＰＣ接続部６２の省略に伴い、Ｓ１９も不要になる。
【００４９】
図６は、図４の電話番号案内システムの信号シーケンスを示すフローチャートである。図３に示す第１実施形態では、着側ＩＰ変換装置６とＩ−ＡＰＣ７（そのＩ−ＡＰＣ７が収容するエンジェルセンタ８）との間の各通信処理（Ｓ１１５，Ｓ１２１，Ｓ１３１，Ｓ１４２）が存在していたが、図６に示す第２実施形態では、Ｉ−ＡＰＣ７を用いないため、これらの各通信処理を省略することができる。
【００５０】
以上説明した本発明の第１実施形態、第２実施形態では、既存の電話網で提供されている顧客のＰＣなどから電話回線経由で番号案内センタへ接続し、電話番号を検索するサービスをＩＰ網で提供するための電話番号案内システムを提供することができる。
【００５１】
各実施形態では、既存の電話網のユーザの発側端末１を収容する発側ＩＰ変換装置２を配置するとともに、電話網の既設のエンジェルセンタ８を収容する着側ＩＰ変換装置６を配置する。その上で、セッションを制御する各加入者サーバ（発側加入者サーバ３、着側加入者サーバ５）と、アプリケーションサーバである網内ＡＳ４と、配置した各ＩＰ変換装置間とで、エンジェルラインサービス用の各処理（番号変換処理、セッション接続処理、課金用情報のエンジェルセンタ８への通知処理）を行うことで、エンジェルラインサービスを実現する。
【００５２】
図７は、比較例の電話番号案内システムを示す構成図である。この比較例では、以下に示すように、非ＩＰ網だけの構成であり、ＩＰ網は含まれていない。
発側交換機３ａ（発側加入者サーバ３、発側ＩＰ変換装置２に対応）と、ＮＳＰ４ａ（網内ＡＳ４に対応）とは、共通線を介したＰＳＴＮで接続される。
発側交換機３ａと、発側端末１とは、メタル回線を介した非ＩＰ網で接続される。
発側交換機３ａと、着側交換機５ａ（着側加入者サーバ５、着側ＩＰ変換装置６に対応）とは、ＰＳＴＮで接続される。
着側交換機５ａと、Ｉ−ＡＰＣ７とは、ＩＳＤＮ（ＰＲＩ）で接続される。
Ｉ−ＡＰＣ７と、エンジェルセンタ８とは、Ｘ．２５パケット網で接続される。
【００５３】
図８は、図７の電話番号案内システムの動作を示すフロー説明図である。図２に示す第１実施形態では、ＩＰ網を収容するためのＩＰ変換装置（発側ＩＰ変換装置２、着側ＩＰ変換装置６）の配置に伴う各処理（Ｓ１３，Ｓ１６ａ，Ｓ１６ｂ，Ｓ１７ａ，Ｓ１７ｂ）が存在していたが、図７の説明で述べたようにＩＰ変換装置の省略に伴い、これらの各処理も不要になる。
【００５４】
以上、図７，図８で説明した比較例では、ＩＰ網を収容するためのＩＰ変換装置を設置しないため、通信処理が簡素になる反面、低コストなＩＰ網を用いないことで、コスト高になってしまう。
一方、図１〜図６で説明した本発明の第１実施形態、第２実施形態では、ＩＰ網を収容するためのＩＰ変換装置やＩＰ接続対応ＡＰＣを設置することにより、そのＩＰ変換装置が、交換機の機能の一部（番号翻訳など）を代行することにより、交換機（加入者サーバ）にかかる負担を軽減することができるため、１台の加入者サーバで、多くのユーザを収容することができる。
【符号の説明】
【００５５】
１      発側端末
２      発側ＩＰ変換装置
３      発側加入者サーバ
３ａ    発側交換機
４      網内ＡＳ
４ａ    ＮＳＰ
５      着側加入者サーバ
５ａ    着側交換機
６      着側ＩＰ変換装置
８      エンジェルセンタ
７      Ｉ−ＡＰＣ
７ａ    ＩＰ接続対応ＡＰＣ
１１    発信部
１２    検索条件送信部
１３    検索結果受信部
２１    発側加入者サーバ接続部
２２    発側接続先番号接続部
２３    番号翻訳部
３１    接続先番号照会部
３２    課金用情報付加部
３３    発側接続指示部
３４    通信料課金部
３５    発側センタ照会部
４１    接続先番号応答部
５１    着側センタ応答部
５２    着側接続指示部
６１    着側接続先番号接続部
６２    ＡＰＣ接続部
７１    プロトコル変換部
８１    情報料課金部
８２    検索条件受信部
８３    検索結果送信部
【図１】
2011228973.tif 000003
【図２】
2011228973.tif 000004
【図３】
2011228973.tif 000005
【図４】
2011228973.tif 000006
【図５】
2011228973.tif 000007
【図６】
2011228973.tif 000008
【図７】
2011228973.tif 000009
【図８】
2011228973.tif 000010